(57)【特許請求の範囲】
【請求項１】
前縁部が後縁部よりも横幅が広い天板を有し、該天板の前端両側部を前支脚で支持するとともに、後部を収納部を備えた後脚体で支持し且つ該後脚体が天板から側方及び後方へ突出しないように設定してなることを特徴とする異形天板机。
【請求項２】
前記収納部を備えた後脚体を下棚で形成してなる請求項１記載の異形天板机。
【請求項３】
前記天板の後部が平面視方形であり、前記収納部を備えた後脚体を下棚で形成し、前記天板の方形部の上位に該方形部から側方及び後方へ突出しないように上棚を設けてなる請求項１記載の異形天板机。
【発明の詳細な説明】
【０００１】
【発明の属する技術分野】
本発明は、情報電子機器を載置して使用するのに適した異形天板机に係わり、更に詳しくは複数台隣接して設置した場合に省スペース化が図れる異形天板机に関するものである。
【０００２】
【従来の技術】
従来、パーソナルコンピュータ（以下「パソコン」と略する）やワードプロセッサー（以下「ワープロ」と略する）等の情報電子機器を載置して使用するのに適したＯＡ机、テーブルは各種提供されている。また、天板が平面視四角形ではない異形天板を有する机、テーブルも各種提供されている。
【０００３】
しかし、複数の机又はテーブルを前後左右に隣接して配置する場合、配置空間として天板の奥行幅の２倍と、天板横幅の整数倍の空間が最低必要である。また、天板上に情報電子機器を載置して使用する場合は、天板の後部にはモニターを載せるだけであるので無駄なスペースが生じる反面、前部にはキーボードを載せ且つその横にマウスやデジタイザー等の入力器機を載せるとともに、書類等の資料を載せるので十分なスペースが必要である。
【０００４】
また、天板の後部が方形で、後部から前部に渡って互いに平行な側縁を有するとともに、前縁が曲線となっているテーブル又は机も公知であるが、その目的はパソコン等の情報電子機器の使用勝手を良くするためであり、側方へ複数台設置する場合は同列状の配置となるものである。従って、従来の長方形の天板を有する机と同様に設置空間を抑制することはできない。
【０００５】
【発明が解決しようとする課題】
そこで、本発明が前述の状況に鑑み、解決しようとするところは、情報電子機器を載置して使用するのに適した異形天板机であって、複数台を側方へ列設する場合、あるいは前後左右に隣接して配置する場合に、より一層の省スペースを図ることができるとともに、天板上に載置した情報電子機器を何ら支障なく使用することが可能な異形天板机を提供する点にある。
【０００６】
【課題を解決するための手段】
本発明は、前述の課題解決のために、前縁部が後縁部よりも横幅が広い天板を有し、該天板の前端両側部を前支脚で支持するとともに、後部を収納部を備えた後脚体で支持し且つ該後脚体が天板から側方及び後方へ突出しないように設定してなる異形天板机を構成した。
【０００７】
更に、前記収納部を備えた後脚体を下棚で形成してなること、前記天板の後部が平面視方形であり、前記収納部を備えた後脚体を下棚で形成し、前記天板の方形部の上位に該方形部から側方及び後方へ突出しないように上棚を設けてなることがより好ましい形態である。
【０００８】
【発明の実施の形態】
次に本発明の実施の形態を添付図面に基づき更に詳細に説明する。図１は本発明の異形天板机Ａの代表的実施形態を示し、図２及び図３は配置例を示し、図中符号１は天板、２は前支脚、３は後脚体、４は上棚をそれぞれ示している。
【０００９】
本発明の異形天板机Ａは、前縁部１Ａが後縁部１Ｂよりも横幅が広く且つ後部１Ｂが平面視方形である天板１を有し、該天板１の前端両側部を前支脚２，２で支持するとともに、後部１Ｂの方形部５を収納部を備えた後脚体３で支持し且つ該後脚体３が方形部５から側方及び後方へ突出しないように設定してなるものである。更に、前記収納部を備えた後脚体３を下棚６で形成し、前記天板１の方形部５の上位に該方形部５から側方及び後方へ突出しないように上棚４を設けている。
【００１０】
更に詳しくは、前記天板１は、奥行幅の約１／３に相当する後部１Ｂが、直角のコーナー部を有する方形部５となっており、奥行幅の約２／３に相当する前部１Ａが、前記方形部５から両側縁を拡開しながら広がった形状となっている。前記前部１Ａに対応する両側縁は、本実施形態では外側へ突出した湾曲形状となっており、前端のコーナー部は略直角としている。また、前記天板１は、中心線に対して左右対称形である。
【００１１】
そして、前記後脚体３として用いる下棚６は、前記天板１の方形部５の下面にその後方及び側方から突出しないように設けている。尚、本発明において、前記下棚６の構造はどのようなものでも良く、更に扉を有するキャビネット状のもの、あるいは引出しを有するキャビネット状のものでも良い。
【００１２】
また、前記天板１の方形部５の上位には、同じくその後方及び側方から突出しないように上棚４を設けている。この上棚４は、本実施形態では天板１の後縁部１Ｂの両コーナー部から立ち上げた一対の支柱７，７の上端に棚板８を取り付けた構造のものを示したが、構造は任意である。例えば、両支柱７，７間にパネルを設け、該パネルを目隠し板として利用したり、ハンギング機能を持たせることも好ましい。また、棚板８上は本棚として利用できるように、側板や背板、更には仕切板を適宜設けても良い。
【００１３】
本発明に係る異形天板机Ａを複数配設する場合を図２及び図３に示している。図２に示した配置は、隣接する異形天板机Ａ，Ａを互いに前後反転させて側方へ一列に並べたものである。この場合、隣接する異形天板机Ａ，Ａの天板１，１同士は、一方の天板１の前縁部１Ａのコーナー部と他方の天板１の後縁部１Ｂのコーナー部が接触し、一方の天板１の前縁部１Ａと他方の天板１の後縁部１Ｂが直線上に位置し、中間の側縁同士も接触するように天板１の形状を設定している。
【００１４】
また、図３に示した配置は、隣接する異形天板机Ａ，Ａを互いに前後反転させるとともに、互いの天板１，１の方形部５，５同士をその側縁で接触させて側方へジグザグに配列したものである。この場合、各上棚４，…は一列に並ぶので外観性が向上し、また空間の仕切りとなるので好ましい。
【００１５】
そして、前記異形天板机Ａの天板１にパソコンＰを載置する場合、モニターを含む本体部Ｐ１を天板１の後部に載置し、キーボードやマウス等の入力機器Ｐ２を天板１の前部に載置する。前記パソコンの本体部Ｐ１は横幅が狭いので、前記方形部５に余裕を持って載置することが可能である。また、端版１の前部は、横幅が広いので、キーボードの横にマウスを操作したり、書類を載置するのに十分なスペースを確保できる。
【００１６】
また、図４に示した異形天板机Ａの変形例は、前記天板１の形状を更に工夫したものである。つまり、隣接する異形天板机Ａ，Ａを互いに前後反転させた際に、天板１，１同士の側縁が隙間無く接触するように、天板１の前部に、後部の方形部５の奥行幅と同じ奥行幅を有する方形部９を設け、前後の方形部５，９の側縁を直線縁で連続させている。図４に示すように、隣接する異形天板机Ａ，Ａを互いに前後反転させて側方へ一列に並べた場合、各天板１，１間に隙間がなくなり、あたかも一連の天板のように連続するので、天板１，１間の隙間から机上物が落下する恐れがない。
【００１７】
尚、前記天板１の前縁部１Ａは、図示したような直線状ではなく、前方へ湾曲して突出した形状でも良く、その場合、図４に示した前部の方形部９も完全な方形にはならないが、同様な作用効果を奏するものである。天板１の前縁部１Ａが湾曲することによって、複数の異形天板机Ａ，…を側方へ列設した場合に、視覚的に変化を持たせることができる。
【００１８】
【発明の効果】
以上にしてなる本発明の異形天板机は、前縁部が後縁部よりも横幅が広い天板を有し、該天板の前端両側部を前支脚で支持するとともに、後部を収納部を備えた後脚体で支持し且つ該後脚体が天板から側方及び後方へ突出しないように設定してなるので、複数台を側方へ列設する場合、あるいは前後左右に隣接して配置する場合に、より一層の省スペースを図ることができるとともに、天板の下方に収納部を確保することができ、更に天板上に載置した情報電子機器を何ら支障なく使用することができる。
【００１９】
請求項２によれば、前記収納部を備えた後脚体を下棚で形成してなるので、天板の下方に収納部を確保することができるとともに、天板の支持強度が高いので、天板の後部に重量のある情報電子機器の本体部を載置した場合でも安定である。
【００２０】
請求項３によれば、前記天板の後部が平面視方形であり、前記収納部を備えた後脚体を下棚で形成し、前記天板の方形部の上位に該方形部から側方及び後方へ突出しないように上棚を設けてなるので、天板の上位に収納部を確保することができるとともに、隣接する異形天板机を互いに前後反転させ且つ互いの天板の方形部同士をその側縁で接触させて側方へジグザグに配列した場合に、各上棚が一列に並ぶので外観性が向上し、また空間の仕切りとなる。
【図面の簡単な説明】
【図１】  本発明に係る異形天板机の代表的実施形態を示す斜視図である。
【図２】  隣接する異形天板机を互いに前後反転させて側方へ一列に複数並べた配置の平面図である。
【図３】  隣接する異形天板机を互いに前後反転させ且つ互いの天板の方形部同士をその側縁で接触させて側方へジグザグに複数配列した配置の平面図である。
【図４】  天板の前後部に方形部を有する複数の異形天板机を互いに前後反転させて側方へ一列に複数並べた配置の平面図である。
【符号の説明】
Ａ  異形天板机
Ｐ  パソコン
Ｐ１  本体部
Ｐ２  入力機器
１  天板
１Ａ  前縁部
１Ｂ  後縁部
２  前支脚
３  後脚体
４  上棚
５  方形部
６  下棚
７  支柱
８  棚板
９  方形部
【図１】
0003675257.tif 000002
【図２】
0003675257.tif 000003
【図３】
0003675257.tif 000004
【図４】
0003675257.tif 000005